(57)【要約】【課題】本体タンクの上部にガス検出装置を備えたものにあって、内部で発生するガスを効果的に検出する。【解決手段】実施形態の油入静止誘導機器は、誘導機器本体が収容されると共に絶縁油が充填される本体タンクと、本体タンクの上部に配置され内部で発生したガスを検出するガス検出装置と、本体タンクの上壁部に取付用の穴を開けた状態で取付けられる付属部品と、本体タンクの上壁部内面側に設けられ、該本体タンク内で発生したガスの気泡が付属部品の取付用の穴から逸れるように案内するための防御板とを備えている。【選択図】図１
2019201100.tif 000002
【特許請求の範囲】
【請求項１】
誘導機器本体が収容されると共に絶縁油が充填される本体タンクと、
前記本体タンクの上部に配置され内部で発生したガスを検出するガス検出装置と、
前記本体タンクの上壁部に取付用の穴を開けた状態で取付けられる付属部品と、
前記本体タンクの上壁部内面側に設けられ、該本体タンク内で発生したガスの気泡が前記付属部品の取付用の穴から逸れるように案内するための防御板とを備えてなる油入静止誘導機器。
【請求項２】
前記付属部品は、放圧装置であり、
前記防御板は、底面及び部分的に開放した側面を有し、前記放圧装置に下方から被せられるように配置される箱状に構成されている請求項１記載の油入静止誘導機器。
【請求項３】
前記付属部品は、負荷時タップ切換器であり、
前記防御板は、前記負荷時タップ切換器の周囲を囲む枠状に構成されている請求項１記載の油入静止誘導機器。
【発明の詳細な説明】
【技術分野】
【０００１】
本発明の実施形態は、油入静止誘導機器に関する。
【背景技術】
【０００２】
油入静止誘導機器、例えば高電圧受配電設備用の油入変圧器においては、変圧器本体を絶縁油と共に本体タンク内に収容すると共に、本体タンク内に、運転状態の変圧器において電圧調整のためにタップを切り換えるためのＬＴＣ（on-Load Tap Changer）と称される負荷時タップ切換器を備えて構成されるものがある。また、本体タンクの上部に、絶縁油の劣化を防止するためのコンサベータが設けられ、さらに、本体タンクの側方に絶縁油を冷却するための放熱器が設けられる。
【０００３】
ところで、この種の油入変圧器にあっては、異常時の分解ガスを検出して遮断器を動作させるためのガス検出継電器やブッフホルツ継電器等のガス検出装置を設けて、保護を図るようにしている。このとき、本体タンクに計器等の付属部品を取付ける場合、本体タンクに取付用の穴を形成した上で、専用の取付座を溶接するといったことが行われるが、取付用の穴の形成部分にガス溜りができると、ガス検出装置によるガスの検出が正しく行えなくなる不具合が生ずる。そこで、例えば特許文献１では、ガスがマンホールの開口部に溜まらないように、開口部を埋めるような詰め物を設けることが提案されている。
【先行技術文献】
【特許文献】
【０００４】
【特許文献１】実開平３−６８１９号公報
【発明の概要】
【発明が解決しようとする課題】
【０００５】
しかしながら、上記のように、ガス溜りができる穴部分を詰め物によって埋める構成では、ガス溜りの形状が詰め物の配置が可能な形状となっている場合は良いが、付属部品の種類や形状によっては、穴の構造上、詰め物ができないケースもあり、必ずしも適用ができなかった。
そこで、本体タンクの上部にガス検出装置を備えたものにあって、内部で発生するガスを効果的に検出することができる油入静止誘導機器を提供する。
【課題を解決するための手段】
【０００６】
実施形態に係る油入静止誘導機器は、誘導機器本体が収容されると共に絶縁油が充填される本体タンクと、前記本体タンクの上部に配置され内部で発生したガスを検出するガス検出装置と、前記本体タンクの上壁部に取付用の穴を開けた状態で取付けられる付属部品と、前記本体タンクの上壁部内面側に設けられ、該本体タンク内で発生したガスの気泡が前記付属部品の取付用の穴から逸れるように案内するための防御板とを備えている。
【図面の簡単な説明】
【０００７】
【図１】一実施形態を示すもので、油入絶縁変圧器の本体タンク部分の全体構成を示す断面図
【図２】第１の防御板の外観を示す斜視図
【図３】第２の防御板の外観を示す斜視図
【発明を実施するための形態】
【０００８】
以下、高電圧受配電設備用の油入絶縁変圧器に適用した一実施形態について、図面を参照しながら説明する。図１は、本実施形態に係る油入静止誘導機器としての油入絶縁変圧器１（以下単に「変圧器１」という）の全体構成を、放熱器を除いた状態で示している。尚、本実施形態の説明で方向をいう場合には、便宜上、本体タンクの長手方向を左右方向とし、図１を正面から見た図とする。
【０００９】
この変圧器１は、全体として横長な矩形箱状をなす金属製の本体タンク２を備えている。この本体タンク２内には、誘導機器本体としての変圧器本体３を収容すると共に、その変圧器本体３全体が浸されるように、絶縁及び冷却用の絶縁油（例えば鉱油）Ｍが充填されている。前記変圧器本体３は、鉄心４及びその鉄心４に装着されたコイル５等からなる周知構成を備えており、本体タンク２内の例えば図で左寄り部分に配設されている。また、本体タンク２の外壁部には、電気接続用の複数個のブッシング６が設けられている。前記本体タンク２の上面を構成する天井板２ａの上面には、金属板製のタンクカバー７が重なるように設けられて、これら天井板２ａとタンクカバー７とから上壁部が構成される。
【００１０】
更に、変圧器１は、本体タンク２の上部の図で左側部分に位置して、コンサベータ８を備えている。周知のように、このコンサベータ８は、上下に薄型のタンク状をなし、内部にゴム膜（ゴム袋）で区画された絶縁油Ｍの貯留部を有し、その貯留部がパイプにより前記本体タンク２内と連通している。これにて、本体タンク２内の絶縁油Ｍの温度変化に伴う膨張、収縮を吸収すると共に、外気との接触による絶縁油Ｍの劣化を防止する。また、図示はしないが、本体タンク２の前後部には、本体２内の絶縁油Ｍを冷却するための放熱器が設けられる。
【００１１】
そして、変圧器１には、複数の保護用の付属部品が設けられる。具体的には、本実施形態では、本体タンク２の上壁部に、放圧装置９、ガス検出装置としてのブッフホルツ継電器１０、負荷時タップ切換器１１が設けられる。そのうち、ブッフホルツ継電器１０は、周知のように、下端部に、分解ガスを収集するガス収集部１０ａを有し、変圧器１の異常発生時に絶縁油Ｍから発生した所定量の分解ガスが検出されると、遮断器を動作させて変圧器本体３への通電等を停止させるものである。このブッフホルツ継電器１０は、本体タンク２の上壁部の例えば中央やや右側に、取付用の穴２ｃを形成すると共に、タンクカバー７に専用の取付座１３を溶接した状態で、本体タンク２の上壁部に取付けられる。
【００１２】
前記放圧装置９は、例えば変圧器本体３の異常発生時に、本体タンク２内の圧力が高圧となったことを下面側の受圧部９ａにより検出し、発生した分解ガスや膨張した絶縁油Ｍを外部に放出すると共に、警報を発するものである。この放圧装置９は、本体タンク２の上壁部の例えばほぼ中央部（ブッフホルツ継電器１０の図で左側）に、取付用の穴２ｂを形成すると共に、タンクカバー７に専用の取付座１２を溶接した状態で、本体タンク２の上壁部に取付けられる。このとき、前記受圧部９ａが本体タンク２内（絶縁油Ｍ中）に配置される。
【００１３】
前記負荷時タップ切換器１１は、運転状態の変圧器本体３のタップを切換えて電圧を調整する装置であり、図示はしないが、周知のように、負荷時タップ切換器１１は、密閉されたタンク内に、タップ選択器及び切換開閉器を収納すると共に、内部を絶縁油Ｍで満たして構成される。この負荷時タップ切換器１１は、本体タンク２の上壁部の例えば右端側（ブッフホルツ継電器１０の図で右側）に、取付用の穴２ｄを形成すると共に、タンクカバー７に専用の取付座１４を溶接した状態で、本体タンク２の上壁部に取付けられる。このとき、負荷時タップ切換器１１は、タンクの上端部が、前記本体タンク２の上壁部から上方にやや突出した形態で、大部分が本体タンク２内に配置される。
【００１４】
さて、本実施形態では、前記本体タンク２の上壁部の内面側には、該本体タンク２内で発生したガスの気泡が付属部品、この場合放圧装置９及び負荷時タップ切換器１１の取付用の穴２ｂ、２ｄから逸れるように案内するための防御板１５及び１６が設けられる。具体的には、前記放圧装置９の下部には、金属板からなる第１の防御板１５が設けられる。この第１の防御板１５は、図２にも示すように、上面が開口した矩形箱状をなし、４つの側面のうち、対抗する２面この場合前面及び後面に四角形の開口部１５ａ、１５ａを有して構成されている。この第１の防御板１５は、その上端部が前記本体タンク２の上壁部に溶接されることにより、放圧装置９に下方から被せられるように取付けられている。
【００１５】
また、前記負荷時タップ切換器１１の取付用の穴２ｄの下部には、金属板からなる第２の防御板１６が設けられる。この第２の防御板１６は、図３にも示すように、負荷時タップ切換器１１の周囲を囲む枠状この場合リング板状に構成されている。この第２の防御板１６は、その上端部が前記本体タンク２の上壁部に溶接されることにより、負荷時タップ切換器１１のうち、穴２ｄの下面側周囲に位置して取付けられている。
【００１６】
次に、以上のように構成された変圧器１の作用、効果について述べる。上記構成の変圧器１においては、例えば、変圧器本体３における短絡等の異常により、絶縁油Ｍの分解ガスが発生し、図１に示すように、その気泡Ｂが、絶縁油Ｍ中を真っ直ぐ上昇していく。この気泡Ｂは、ブッフホルツ継電器１０のガス収集部１０ａに収集されることに基づいて動作し、回路の遮断や警報等が行われる。ここで、もし、発生した気泡Ｂが、ブッフホルツ継電器１０のガス収集部１０ａに向かわずに、本体タンク２の上壁部の一部、特に付属部品９、１１の取付用の穴２ｂ、２ｄ部分に溜まるようなことがあると、ブッフホルツ継電器１０による正しい検出から外れてしまう虞がある。
【００１７】
ところが、本実施形態では、そのようなガス溜りができそうな部分、即ち、放圧装置９の取付用の穴２ｂ部分、及び、負荷時タップ切換器１１の取付用の穴２ｄ部分の下方には、ガスの気泡Ｂが逸れるように案内する防御板１５及び１６がそれぞれ配置されている。このとき、防御板１５、１６によって、ガスの気泡Ｂの上昇時の流れを変えたり堰き止めたりすることができ、気泡Ｂが取付用の穴２ｂ、２ｄ部分に至ることを防止できる。これにより、ガスの気泡Ｂを、ブッフホルツ継電器１０のガス収集部１０ａに集めることができ、ブッフホルツ継電器１０を正しく動作させることができる。
【００１８】
このような本実施形態によれば、本体タンク２の上部にガス検出装置としてのブッフホルツ継電器１０を備えたものにあって、防御板１５、１６を設けたことにより、発生したガスが取付用の穴２ｂ、２ｄ部分に溜まることを防止でき、本体タンク２の内部で発生するガスをブッフホルツ継電器１０によって効果的に検出することができるという優れた効果を得ることができる。
【００１９】
特に本実施形態では、本体タンク２の上壁部に放圧装置９を設けたものにあって、底面及び開口部１５ａを有する側面を有し、前記放圧装置９に下方から被せられるように配置される箱状の第１の防御板１５を設けた。このとき、放圧装置９が受圧部９ａを有する構造上、その下面側を塞ぐことはできないが、第１の防御板１５の部分的に開放した側面によって、放圧装置９の下面の受圧部９ａに対する絶縁油Ｍの流通が可能となる。これにより、箱状の第１の防御板１５の内部、外部間での絶縁油Ｍの流通を確保しながら、第１の防御板１５の底面部分でガスの気泡Ｂを堰き止めて流れを変えることができる。
【００２０】
更に本実施形態では、本体タンク２の上壁部に負荷時タップ切換器１１を設けたものにあって、負荷時タップ切換器１１の周囲を囲む枠状の第２の防御板１５を設けた。負荷時タップ切換器１１を取付ける際の穴２ｄ部分において、ガス溜りとなる虞のある隙間が形成される事情があっても、その隙間を塞ぐようにリング状の第２の防御板１６が配置されるので、ガスの気泡Ｂを第２の防御板１６の外周面に沿って流すことができ、ガスが隙間分に溜まることを防止することができる。
【００２１】
尚、上記実施形態では、ガス検出装置としてブッフホルツ継電器１０を採用するようにしたが、例えばガス検出継電器等であっても良い。また、上記実施形態では、付属部品として、放圧装置９及び負荷時タップ切換器１１の双方を備えたものとしたが、いずれか一方のみを備える構成であっても良い。それ以外の付属部品、例えば計器類等についても、同様に防御板を設けることができる。ガス検出装置や付属部品を設ける位置としても、様々な変更が可能である。
【００２２】
上記実施形態では、絶縁油Ｍとして、鉱油を例にあげたが、鉱油以外の絶縁油全般や液体シリコーン等であっても良い。変圧器の全体的な構成としても、例えば絶縁油Ｍを放熱器に対し強制循環させるための循環用ポンプや、強制冷却用のファン装置等を有するものであっても良い等、様々な変更が可能である。コンサベータとしても、開放式のものであっても良い。その他、静止誘導機器としては、変圧器に限らず、例えばリアクトルに適用することもできる。
【００２３】
以上のように、本発明の一実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
図面中、１は油入変圧器（油入静止誘導機器）、２は本体タンク、２ｂ、２ｄは取付用の穴、３は変圧器本体（誘導機器本体）、７はタンクカバー、９は放圧装置（付属部品）、９ａは受圧部、１０はブッフホルツ継電器（ガス検出装置）、１１は負荷時タップ切換器、１５は第１の防御板、１６は第２の防御板、Ｍは絶縁油を示す。
【図１】
2019201100.tif 000003
【図２】
2019201100.tif 000004
【図３】
2019201100.tif 000005